(57)【要約】【課題】  杖等の棒状体を微力で着脱させ、安定的に保持する機能および机等に適宜に設置・取り外しが可能な機能を備えた棒状体用ホルダーを提供すること。【解決手段】  特殊な形状をしたアームにそれぞれ軸孔を開け、重ね合わせて軸を通し、重ね合わせた二つのアームを、それぞれに設けられた支柱の先端を伸縮自在の弾性体物で連結し、アームに杖等を挟む力を持たせ、弾性体物と軸との位置関係、及びアームの形状により、微力で杖等を挟んだり取り外したりすることができるよう構成されている。テーブル等との設置部分には吸盤等、容易に着脱可能なものを使用する。【選択図】図１
2013017797.tif 000002
【特許請求の範囲】
【請求項１】
中心となる一点から二方向に線を伸ばし、その二つの線上のそれぞれ任意の２点をバネのような伸縮自在な弾性体物で繋いだとき、中心点を基準として、その両線を開くために必要な人為的な力は、弾性体物と中心点との間の距離に比例するという原理を用いた装置を設けた棒状体用ホルダー。
【発明の詳細な説明】
【技術分野】
【０００１】  この発明は、杖、傘、箒等の棒状体の物を容易に保持・着脱でき、且つ装置をテーブル・カウンター・椅子その他の家具や設備に簡単に設置、取り外しができる棒状体用ホルダーに関するものである。
【背景技術】
【０００２】  高齢化社会に伴い、杖等を歩行補助具として使用する高齢者がテーブル等を利用する際、杖等の置き場所に困っている様子を頻繁に見かけるようになった。
【発明の概要】
【発明が解決しようとする課題】
【０００３】  巷間、杖ホルダーなる物が市販され、一部施設等に設置されてはいるが、その多くは杖を保持する部分の形状が軟質素材でできた、輪の一部分を欠いた「Ｃ」様のホルダーである。【０００４】  杖には様々な太さの物があり、その太さによっては、ホルダーの材質が軟質とはいえ、使用する際かなりの力で押し込まなければならない。杖を取り外す時も同様である。【０００５】  そのため、杖ホルダーを使用する際、ホルダーが動いたり取り付け部から外れたりしないように、ホルダーをネジや両面テープなどでしっかりと固定せざるを得ず、ホルダーを「適所に適宜に適時に」設置・使用するということができない。そのため広く一般に普及しているとは言い難い。
【課題を解決するための手段】
【０００６】  本発明（図１）は、杖等を保持する部分が、内側が釣り針様の曲線を描いて湾曲したＬ字型のアーム状（図２、３）になっており、例えるならばクワガタムシの顎のようなものである。そのアームにそれぞれ軸孔を設け、軸を通して組み合わせる（図４）ことで、軸を中心として左右のアームが開閉するようになっている。さらに、二つのアームにはそれぞれ支柱が設けられており、その支柱にバネ、ゴム等の伸縮自在の弾性体物（以下「弾性体物」と総称する）で連結することにより、弾性体物が伸縮する力でアームを開き（図５）、また閉じる（図６）力を持たせている。さらに弾性体物と軸の位置関係、及びアームの形状により、僅かな力で杖を挟み、そして取り外すことができるようになっている。【０００７】  微力で杖の着脱が可能なため、壁面、テーブル等との取り付け部分には吸盤やクリップ等を使用することができ、容易にホルダーを「適宜に適所に適時に」取り付けまた取り外すことができる。
【発明の効果】
【０００８】  上記の方法により、力の弱い高齢者や、力を入れることの難しい傷病を持つ人でも、ホルダーに抵抗なく杖を挟み取り外すことができる。また、杖の着脱に力がほとんど要らないので、本発明の取り付けに強度の固着を必要としない。したがって壁面、テーブル等への取り付け部分には吸盤あるいはマジックテープ、クリップ等容易にホルダーを着脱できる物を使用することが可能であり、必要な時、場所にその都度設置して使用することができる。
【図面の簡単な説明】
【０００９】
【図１】本発明の実施例を示す斜視図である。
【図２】本発明の部品「アームａ」の平面図である。
【図３】本発明の部品「アームｂ」の平面図である。
【図４】アームａ、ｂを軸孔に軸を通して組み合わせた平面図である。
【図５】組み合わせたアームに弾性体物を装着した平面図である。
【図６】弾性体物の力によって開口部が閉じたアームの平面図である。
【図７】アームを軸支え台に取り付けた平面図である。
【図８】装置が杖を挟んだ状態の平面図である。
【発明を実施するための形態】
【００１０】  本発明の装置は、弾性体物の力で中心となる軸を支点として左右のアームを開き、また閉じる（図５、６）。弾性体物は、アームが開いている時は底辺の軸支え台（図７）によってそれ以上に縮まないようになっている。アームを閉じようとすると、弾性体物は、その地点から次第に伸びて支点である中心軸に近づく。
【００１１】  弾性体物は次第に伸び、縮もうとする力が強くなってはいくが、弾性体物を伸ばすために必要な力は、逆に、弾性体物が支点である中心軸に近づくに従って次第に弱くなっていく。そして中心軸と重なる位置で０になる。
【００１２】  アームが開いている時は、軸支え台によってアームの開く角度の最大値が決められ、弾性体物と軸の距離がはなはだ短く設定されているので、弾性体物を伸ばすために必要な力は０に近く、極めて弱い力で力点である突起部（図７）を押すことにより弾性体物は軸上を通過し、アームを閉じる力に変化する。
【００１３】  また、杖を挟んでいる時（図８）には、杖によってアームはそれ以上に閉じることがない。したがって弾性体物を伸ばすために必要な力はその時点が最大である。取り外そうと杖を開口部の方向へ引くと、杖がアームの開口部を力点としてアームを押し広げる。
【００１４】  その際、弾性体物は次第に伸びていくが、弾性体物を伸ばすために必要な力は、アームが開くにしたがって、アームを閉じる時と同様に次第に弱くなり、軸上で０になる。その後、弾性体物の力はアームを開く力へと変化する。
【００１５】  杖を挟んでいる時、弾性体物と軸との距離は、開口時よりも若干遠いが、支点である軸と、力点となる開口部との距離が遠いので、てこの原理により、閉じる時と同様に弱い力でアームを開くことができる。
【００１６】  つまり、重ねた左右アームの中心に当たる軸と弾性体物との位置関係及びアームの形状が、本ホルダーの特色である杖等を微力で容易に着脱できることを可能にしている。本ホルダーの杖を挟む装置の構成はこれらの原理を用いている。
【００１７】  さらに、弾性体物を支える両方の支柱が同時に動くため、片方が固定されている場合に較べて支柱の移動距離が短くて済み、僅かに突起部を押すことで弾性体物が軸を越えアームを閉じることができる。
【００１８】  続いて、図面を用いて本ホルダーの形状について言及する。本ホルダーのアーム（図２，３）は、Ｌ字型をしており、内側が突起部から開口部に向けて釣り針のような曲線を描いて湾曲している。かかるアームを図４のように軸を通して組み合わせ、弾性体物を装着することで、図５のような形状を作り出し、杖等をあてがい、突起部を軸方向に押すことにより、アームの口が閉じる（図６）ような構成になっている。
【００１９】  さらに、テーブル、壁面等への取り付け部分には吸盤（図１）を用いて、着脱を容易にする構成である。なお、本ホルダーの図面では吸盤を使用しているが、杖等の着脱に僅かな力しか必要としないので、実施例としては取り付け部分に種々の形態のもの、例えばマジックテープやクリップ等の保持力の比較的弱い物を選択することが可能である。したがって取り付けにねじ止めや両面テープなど逐一取り外しに時間と労力がかかる物を使用する必然性はない。
【００２０】  また、通常の重さの杖であれば、弾性体物の力でグリップ力が保たれるので使用の際、床面から杖を浮かすことも十分可能である。
【００２１】  なお、たとえばモップのように比較的重量のある棒状体のものなら、収縮力の強い弾性体物を使用したり、あるいは、棒状体の接するアームの内面にクッションゴムなどを装着し、落下する力に対して摩擦力を働かせて保持させるような実施の仕方も可能である。
【符号の説明】
【００２２】  １  アームａ
２  アームｂ
３  支柱
４  軸孔
５  開口部
６  突起部
７  軸
８  弾性体物
９  軸支え部
１０  軸支え台
１１  吸盤
１２  杖
【図１】
2013017797.tif 000003
【図２】
2013017797.tif 000004
【図３】
2013017797.tif 000005
【図４】
2013017797.tif 000006
【図５】
2013017797.tif 000007
【図６】
2013017797.tif 000008
【図７】
2013017797.tif 000009
【図８】
2013017797.tif 000010